(57)【要約】【課題】コストの低減化を図るとともに、撮影直後の早いタイミングで撮影画像の縮小画像を表示することが可能な撮像装置を提供する。【解決手段】第１の制御手段（サブＣＰＵ２１４）は、圧縮画像データメモリ（ＪＰＥＧ画像メモリ２０７）の記憶動作の状態推移と縮小画像データメモリ（縮小画像メモリ２０８）への記憶動作の状態推移とに基づいて切替手段（切替部２０９）の切替タイミングを制御することにより、圧縮画像データ（ＪＰＥＧ画像データ）と縮小画像データ（縮小画像データ）とを切り替えて本体ユニットに出力させる。【選択図】図２
2005333349.tif 000002
【特許請求の範囲】
【請求項１】
内蔵する撮影手段により取得された撮影画像データを処理する第１の制御手段を含むカメラモジュールと、このカメラモジュールから出力された画像データを処理して表示手段に表示させる第２の制御手段を含む本体ユニットと、を備えた撮像装置において、
前記カメラモジュールは、前記撮影画像データを圧縮する圧縮手段と、この圧縮手段により圧縮された圧縮画像データを記憶する圧縮画像データメモリと、前記撮影画像データの縮小画像を生成する縮小画像生成手段と、この縮小画像生成手段により生成された縮小画像データを記憶する縮小画像データメモリと、前記圧縮画像データメモリから出力される圧縮画像データと前記縮小画像データメモリから出力される縮小画像データとを選択的に切り替えて出力する切替手段と、を備え、
前記第１の制御手段は、前記圧縮画像データメモリの記憶動作の状態推移と縮小画像データメモリの記憶動作の状態推移とに基づいて前記切替手段の切替タイミングを制御することにより、前記圧縮画像データと縮小画像データとを切り替えて前記本体ユニットに出力させることを特徴とする撮像装置。
【請求項２】
前記第１の制御手段は、前記圧縮画像データメモリ又は縮小画像データメモリの記憶容量残量が所定の値に達する度に、当該所定の値に達した画像データメモリに記憶された画像データを前記切替手段の切替タイミングを制御して前記本体ユニットに出力させることを特徴とする請求項１に記載の撮像装置。
【請求項３】
前記第１の制御手段は、前記切替手段の切替タイミングの制御に先立ち、当該切替タイミング制御により出力される画像データが記憶された画像データメモリが、前記圧縮画像データメモリか縮小画像データメモリかを識別するための識別情報を、前記本体ユニットに出力することを特徴とする請求項１又は２に記載の撮像装置。
【請求項４】
前記第２の制御手段は、前記出力された識別情報に基づいて前記圧縮画像データと縮小画像データとを前記表示手段に表示させることを特徴とする請求項３に記載の撮像装置。
【発明の詳細な説明】
【技術分野】
【０００１】
本発明は、被写体を撮像して画像データを出力する撮像装置に関する。
【背景技術】
【０００２】
近年、デジタルカメラ等の撮像装置は、高機能化、低価格化が進み、急速に普及している。デジタルカメラは、撮像画像をデジタル画像データとして得ることができるため、撮影画像をデジタルカメラの表示モニタに表示したり、メモリカード等の記録媒体に記録したりすることができる。このようなデジタルカメラでは、撮影後、記録媒体に画像データが記録されるとともに画像データの縮小画像が表示モニタに表示され、ユーザは、この縮小画像を見ることで、その撮影結果を確認することができる。従来、撮像後に表示されるクイックビュー画像を記録用画像データの完成に先行して出力することでクイックビュー画像の表示タイムラグを改善することが可能な装置が提案されている（例えば、特許文献１参照）。
【０００３】
上記したような撮像装置は、被写体を撮像して画像データを出力するカメラモジュールと、この出力された画像データの記録及び表示等を行う撮像装置本体（以下、本体ユニットという。）とに大別することが可能であり、画像データをＪＰＥＧ（Joint Photographic Expert Group）画像等に圧縮する画像圧縮と、画像データの縮小画像生成と、をカメラモジュール側で行う構成が考えられている。このような、カメラモジュール側で画像データの画像圧縮及び縮小画像の生成を行って本体側に出力するような構成において、撮影画像の縮小画像を撮影直後に本体側の表示モニタに表示させる場合、以下の３つの方法が考えられる。
【０００４】
（１）カメラモジュールから撮影画像のＪＰＥＧ画像を本体側に出力した後、カメラモジュールから撮影画像の縮小画像を本体ユニットに出力し、本体ユニットは、この出力された縮小画像を表示モニタに表示させる。
（２）カメラモジュールから撮影画像の縮小画像を本体ユニットに出力し、本体ユニットは、この出力された縮小画像を表示モニタに表示させた後、カメラモジュールから撮影画像のＪＰＥＧ画像を本体側に出力する。なお、本縮小画像の出力方法は上記した特許文献１の表示方法に該当する。
（３）カメラモジュールから撮影画像のＪＰＥＧ画像のみを本体ユニットに出力し、本体ユニットは、この出力されたＪＰＥＧ画像を伸長して、伸長後の画像データから縮小画像を生成し表示モニタに表示させる。
【特許文献１】特開２００３−１９８９１４号公報
【発明の開示】
【発明が解決しようとする課題】
【０００５】
しかしながら、上記した（１）の方法では、カメラモジュールからＪＰＥＧ画像の出力後、縮小画像が本体ユニットに出力されるまでの間、表示モニタで縮小画像を確認することができないため、縮小画像が表示されるまでの間、タイムラグが発生する可能性があり、撮影結果の確認作業を迅速に行えないという問題があった。また、カメラモジュールにＪＰＥＧ画像の出力完了までの間、縮小画像が格納できるだけのメモリが必要になるためコストが増大してしまう可能性がある。
【０００６】
（２）の方法では、カメラモジュールから縮小画像を先に本体ユニットに出力するため、撮影後直ちに縮小画像の表示を行うことが可能であるが、縮小画像の出力完了までの間、ＪＰＥＧ画像が格納できるだけの比較的大きな容量のメモリがカメラモジュールに必要であるためコストが増大してしまう可能性がある。
【０００７】
（３）の方法では、撮影後、カメラモジュールからＪＰＥＧ画像が本体ユニットに出力された後、本体ユニットでＪＰＥＧ画像の伸長及び縮小画像の生成が完了するまでの間、縮小画像を表示モニタで確認することができないため、タイムラグが発生する可能性があり、撮影結果の確認作業を円滑に行えないという問題があった。また、本体ユニットにＪＰＥＧ伸長と縮小画像を生成する機能が必要となるためコストが増大してしまう可能性がある。
【０００８】
本発明の課題は、コストの低減化を図るとともに、撮影直後の早いタイミングで撮影画像の縮小画像を表示することが可能な撮像装置を提供することである。
【課題を解決するための手段】
【０００９】
上記課題を解決するために、請求項１に記載の発明は、
内蔵する撮影手段により取得された撮影画像データを処理する第１の制御手段を含むカメラモジュールと、このカメラモジュールから出力された画像データを処理して表示手段に表示させる第２の制御手段を含む本体ユニットと、を備えた撮像装置において、
前記カメラモジュールは、前記撮影画像データを圧縮する圧縮手段と、この圧縮手段により圧縮された圧縮画像データを記憶する圧縮画像データメモリと、前記撮影画像データの縮小画像を生成する縮小画像生成手段と、この縮小画像生成手段により生成された縮小画像データを記憶する縮小画像データメモリと、前記圧縮画像データメモリから出力される圧縮画像データと前記縮小画像データメモリから出力される縮小画像データとを選択的に切り替えて出力する切替手段と、を備え、
前記第１の制御手段は、前記圧縮画像データメモリの記憶動作の状態推移と縮小画像データメモリの記憶動作の状態推移とに基づいて前記切替手段の切替タイミングを制御することにより、前記圧縮画像データと縮小画像データとを切り替えて前記本体ユニットに出力させることを特徴としている。
【００１０】
ここで、「圧縮画像データ」とは、ＪＰＥＧ画像圧縮、ＪＰＥＧ２０００画像圧縮等の画像処理を意味しており、「縮小画像データ」とは、サムネイル画像やスクリーンネイル画像等の画像サイズを縮小したデータを意味している。また、「記憶動作の状態推移」とは、例えば、圧縮画像データメモリ又は縮小画像データメモリの記憶容量が満杯に近づく状態等を意味する。
【００１１】
請求項２に記載の発明は、請求項１に記載の発明において、
前記第１の制御手段は、前記圧縮画像データメモリ又は縮小画像データメモリの記憶容量残量が所定の値に達する度に、当該所定の値に達した画像データメモリに記憶された画像データを前記切替手段の切替タイミングを制御して前記本体ユニットに出力させることを特徴としている。
【００１２】
請求項３に記載の発明は、請求項１又は２に記載の発明において、
前記第１の制御手段は、前記切替手段の切替タイミングの制御に先立ち、当該切替タイミング制御により出力される画像データが記憶された画像データメモリが、前記圧縮画像データメモリか縮小画像データメモリかを識別するための識別情報を、前記本体ユニットに出力することを特徴としている。
【００１３】
請求項４に記載の発明は、請求項３に記載の発明において、
前記第２の制御手段は、前記出力された識別情報に基づいて前記圧縮画像データと縮小画像データとを前記表示手段に表示させることを特徴としている。
【発明の効果】
【００１４】
請求項１に記載の発明によれば、第１の制御手段は、圧縮画像データメモリの記憶動作の状態推移と縮小画像データメモリへの記憶動作の状態推移とに基づいて切替手段の切替タイミングを制御することにより、圧縮画像データと縮小画像データとを切り替えて本体ユニットに出力させる。このような構成にしたことにより、処理画像データ及び縮小画像データを効率よく出力することが可能となるため、縮小画像が表示されるまでの間のタイムラグを改善することができる。したがって、撮影直後の早いタイミングで縮小画像データを表示することができる。また、処理画像記憶手段及び縮小画像記憶手段の記憶容量を小さく構成することが可能となるため、コストの低減化を図ることができる。
【００１５】
請求項２に記載の発明によれば、第１の制御手段は、圧縮画像データメモリ又は縮小画像データメモリの記憶容量残量が所定の値に達する度に、当該所定の値に達した画像データメモリに記憶された画像データを切替手段の切替タイミングを制御して本体ユニットに出力させる。このような構成にしたことにより、処理画像データ及び縮小画像データを効率よく出力することが可能となるため、縮小画像が表示されるまでの間のタイムラグを改善することができる。したがって、撮影直後の早いタイミングで縮小画像データを表示することができる。また、処理画像記憶手段及び縮小画像記憶手段の記憶容量を小さく構成することが可能となるため、コストの低減化を図ることができる。
【００１６】
請求項３に記載の発明によれば、切替手段の制御に先立ち、当該切替制御により出力されるデータが記憶された画像記憶手段が、処理画像記憶手段か縮小画像記憶手段かを識別するための識別情報を記憶制御手段に出力する。このような構成にしたことにより、切替手段の制御に伴って出力されるデータが、処理画像データか縮小画像データかを識別情報に基づいて判別することができる。
【００１７】
請求項４に記載の発明によれば、第２の制御手段は、カメラモジュールから出力された識別情報に基づいて圧縮画像データと縮小画像データとを表示手段に表示させる。このような構成にしたことにより、効率よく出力された処理画像データ及び縮小画像データを表示することが可能となるため、縮小画像が表示されるまでの間のタイムラグを改善することができる。
【発明を実施するための最良の形態】
【００１８】
以下、本発明の撮像装置を撮像装置付き携帯電話機１０に適用した例を、図１〜図５を参照して詳細に説明する。
【００１９】
図１に携帯電話機１０の機能的構成を示す。図１に示すように、携帯電話機１０は、メインＣＰＵ（Central Processing Unit）１１、表示部１２、入力部１３、ＲＡＭ（Random Access Memory）１４、通信制御部１５、記憶部１６、音声入出力部１７、電源部１８、カメラモジュール２０等を備えて構成され、各部はバス１９により接続されている。ここで、カメラモジュール２０が特許請求の範囲に記載のカメラモジュールであり、携帯電話機１０からカメラモジュール２０を除いたものが特許請求の範囲に記載の本体ユニットである。
【００２０】
メインＣＰＵ１１は、記憶部１６に記憶されているシステムプログラムを読み出し、ＲＡＭ１４内に形成されたワークメモリに展開し、該システムプログラムに従って各部を制御する。また、メインＣＰＵ１１は、記憶部１６に記憶されている各種処理プログラムやメールソフト等のアプリケーションプログラムを読み出してワークメモリに展開し、各種処理を実行し、それらの処理結果をＲＡＭ１４内のワークメモリに記憶すると共に表示部１２に表示させる。そして、ワークメモリに格納した処理結果を記憶部１６内の指定の保存先に保存させる。
【００２１】
また、メインＣＰＵ１１は、カメラモジュール２０から出力されるＪＰＥＧ画像データ及び縮小画像データを画像出力Ｉ／Ｆ２１０を介して受信すると、このＪＰＥＧ画像データ及び縮小画像データを記憶部１６に記憶させる。なお、ここでＪＰＥＧ画像データ及び縮小画像データの記憶は、ＪＰＥＧ画像データ及び縮小画像データの出力に先立ってカメラモジュール２０から出力される識別情報に基づいて行われる。
【００２２】
また、メインＣＰＵ１１は、記憶部１６に記憶されたＪＰＥＧ画像データ及び縮小画像データを表示部１２に表示させる制御を行う。
【００２３】
表示部１２は、ＬＣＤ（Liquid Crystal Display）パネル等により構成され、メインＣＰＵ１１から入力される表示データに基づいて画面表示を行う。
【００２４】
入力部１３は、カーソルキー、文字／数字キー、各種機能キー等を有し、そのキー操作による押下信号をメインＣＰＵ１１に出力する。
【００２５】
ＲＡＭ１４は、バッファとして各種プログラムや処理中のデータ、処理結果などを一時的に記憶するワークエリアを形成する。
【００２６】
通信制御部１５は、不図示のアンテナを含む無線通信部で構成され、メインＣＰＵ１１から入力される指示に従って、無線基地局を介して通信ネットワークＮ上の各機器と各種情報を送受信する。
【００２７】
記憶部１６は、フラッシュメモリなどの不揮発メモリ等により構成され、携帯電話機１０に対応するシステムプログラム、及び該システムプログラム上で実行可能な各種処理プログラム、アプリケーションプログラム及びこれらのプログラムで処理されたデータ等を記録する。
【００２８】
音声入出力部１７は、マイク、スピーカ、増幅器、Ａ／Ｄ変換部、及びＤ／Ａ変換部等を有し、マイクから入力されるユーザの音声信号をデジタル音声情報に変換し、その音声情報をメインＣＰＵ１１に出力するとともに、受話中にメインＣＰＵ１１から入力される音声情報や、着信音、操作確認音等の音声情報をアナログの音声信号に変換して増幅し、スピーカから出力する。
【００２９】
電源部１８は、電源用回路や充電池等により構成され、メインＣＰＵ１１から入力される指示に基づいて、携帯電話機１０が有する各機能部への電源供給を行う。
【００３０】
カメラモジュール２０は、図２に示すように、光学レンズ２０１、ＣＣＤ（Charge Coupled Diode）２０２、Ａ／Ｄ回路２０３、信号処理回路２０４、ＪＰＥＧ画像生成部２０５、縮小画像生成部２０６、ＪＰＥＧ画像メモリ２０７、縮小画像メモリ２０８、切替部２０９、画像出力Ｉ／Ｆ２１０、アクチュエータ２１１、記憶部２１２、電源回路２１３、サブＣＰＵ２１４、シリアル通信Ｉ／Ｆ２１５等から構成されている。
【００３１】
光学レンズ２０１は、ガラス又はプラスチックから構成され、被写体の光画像を結像し、ＣＣＤ２０２は、光学レンズ２０１によって受光面上に結像された光画像信号をアナログの画像データに変換する。なお、本実施の形態では、ＣＣＤを用いることとしたが、これに限らず、ＣＭＯＳ（Complementary Metal Oxide Semiconductor）センサ等であってもよい。
【００３２】
Ａ／Ｄ回路２０３は、ＣＣＤ２０２から出力されたアナログ画像データをデジタの画像データに変換し、信号処理回路２０４に出力する。信号処理回路２０４は、Ａ／Ｄ回路２０３から出力された画像データに対して、例えば、ＹＵＶデータに変換、ガンマ補正、ホワイトバランス補正等の処理を施して撮影画像データとしてＪＰＥＧ画像生成部２０５及び縮小画像生成部２０６に出力する。
【００３３】
ＪＰＥＧ画像生成部２０５は、信号処理回路２０４から出力された撮影画像データに対しＪＰＥＧ方式に準拠した圧縮方式で圧縮処理を施し、生成されたＪＰＥＧ画像データをＪＰＥＧ画像メモリ２０７に順次出力する。
【００３４】
縮小画像生成部２０６は、信号処理回路２０４から出力された撮影画像データからサムネイル画像等の縮小画像データの生成を行い、この生成される縮小画像データを縮小画像メモリ２０８に順次出力する。
【００３５】
ＪＰＥＧ画像メモリ２０７は、ＦＩＦＯ（First In , First Out）メモリであって、ＪＰＥＧ画像生成部２０５から出力されるＪＰＥＧ画像データの一時的な記憶を行うバッファとして機能する。
【００３６】
縮小画像メモリ２０８は、ＦＩＦＯメモリであって、縮小画像生成部２０６から出力される縮小画像データの一時的な記憶を行うバッファとして機能する。
【００３７】
切替部２０９は、サブＣＰＵ２１４の制御に基づいてＪＰＥＧ画像メモリ２０７に記憶されたＪＰＥＧ画像データの出力と、縮小画像メモリ２０８に記憶された縮小画像データの出力と、を選択的に切り替えて何れか一方のデータのみが画像出力Ｉ／Ｆ２１０出力されるよう切り替えを行う。
【００３８】
画像出力Ｉ／Ｆ２１０は、ＪＰＥＧ画像データ及び縮小画像データをメインＣＰＵ１１に出力するためのインターフェイスであって、一方向の高速なバスによってメインＣＰＵ１１と接続されている。
【００３９】
アクチュエータ２１１は、不図示のアクチュエータ駆動回路を有しており、サブＣＰＵ２１４の制御に応じて、例えば、光学レンズ２０１の移動によるズーミング、光学レンズ２０１のレンズバリア（図示略）の開閉等の駆動を行う。
【００４０】
記憶部２１２は、フラッシュメモリなどの不揮発メモリ等により構成され、カメラモジュール２０の各部の制御に必要なプログラムコード及び制御パラメータが記憶されている。
【００４１】
電源回路２１３は、図１に示した電源部１８から供給される電力の電圧調整等を行い、サブＣＰＵ２１４の制御に応じて、カメラモジュール２０の各部位に電力供給を行う。
【００４２】
サブＣＰＵ２１４は、記憶部２１２に記憶されたプログラムコードに従ってカメラモジュール２０の各部を統括的に制御するとともに、シリアル通信Ｉ／Ｆ２１５を介してメインＣＰＵ１１から出力される制御信号に基づいてカメラモジュール２０の各部の制御を行う。
【００４３】
また、サブＣＰＵ２１４は、ＪＰＥＧ画像メモリ２０７及び縮小画像メモリ２０８の記憶動作の状態推移に基づいて、ＪＰＥＧ画像メモリ２０７又は縮小画像メモリ２０８の何れか一方の画像メモリに記憶されたデータが出力されるよう切替部２０９の切替タイミングの制御を行う。
【００４４】
具体的には、ＪＰＥＧ画像メモリ２０７又は縮小画像メモリ２０８の記憶容量残量が所定の値に達した度に、所定の値に達した画像メモリに記憶されたデータが出力されるよう切替部２０９を制御して切り替えさせる。
【００４５】
ここで「記憶容量残量が所定の値」とは、例えば、記憶容量残量が総記憶容量の１０％に達するような値であって、それぞれの画像メモリが有する記憶容量に基づいて閾値を設定することが好ましく、ＪＰＥＧ画像生成部２０５及び縮小画像生成部２０６の処理能力等に基づいて最適な閾値を設定するようにすることがより好ましい。
【００４６】
また、サブＣＰＵ２１４は、ＪＰＥＧ画像メモリ２０７又は縮小画像メモリ２０８の記憶容量残量が所定の値に達した際に、所定の値に達した画像メモリが、ＪＰＥＧ画像メモリ２０７か縮小画像メモリ２０８かを識別するための識別情報を、切替部２０９の切替タイミングの制御に先立ち、画像出力Ｉ／Ｆ２１０を介してメインＣＰＵ１１に出力する。
【００４７】
シリアル通信Ｉ／Ｆ２１５は、サブＣＰＵ２１４とメインＣＰＵ１１とを接続するためのシリアル通信インターフェイスであって、メインＣＰＵ１１から入力される制御信号をサブＣＰＵ２１４に出力を行うとともに、サブＣＰＵ２１４から入力される各種信号をメインＣＰＵ１１に出力する。
【００４８】
次に、本実施の形態の動作を図３のフローチャートを参照して説明する。
図３は、携帯電話機１０におけるＪＰＥＧ画像データ及び縮小画像データがカメラモジュール２０から出力される際の処理の流れを示すフローチャートである。なお、以下のフローチャートに記述されている各処理は、サブＣＰＵ２１４の制御により行われる。
【００４９】
本処理の前提として、ユーザから入力部１３を介して被写体の撮影を行うレリーズ操作が行われ、この操作に基づいてメインＣＰＵ１１からシリアル通信Ｉ／Ｆ２１５を介し、サブＣＰＵ２１４に撮像を行う旨の制御信号が出力されたものとする。
【００５０】
まず、メインＣＰＵ１１から撮像を行う旨の制御信号を受けると、光学レンズ２０１を通じてＣＣＤ２０２にて取り込まれたアナログ画像データが、Ａ／Ｄ回路２０３でデジタル画像データに変換され、この画像データにガンマ補正、ホワイトバランス補正等の処理が信号処理回路２０４で施され、処理された撮影画像データがＪＰＥＧ画像生成部２０５及び縮小画像生成部２０６に出力される（ステップＳ１１）。
【００５１】
次いで、ＪＰＥＧ画像生成部２０５に出力された撮影画像データが、ＪＰＥＧ方式に準拠した圧縮方式で圧縮されてＪＰＥＧ画像データが生成され、ＪＰＥＧ画像メモリ２０７に順次記憶されるとともに、縮小画像生成部２０６に出力された撮影画像データの縮小画像データが生成されて縮小画像メモリ２０８に順次記憶される(ステップＳ１２)。
【００５２】
ＪＰＥＧ画像メモリ２０７又は縮小画像メモリ２０８の記憶容量残量が所定の値に達するまでそれぞれＪＰＥＧ画像データ、縮小画像データが順次記憶され、一方の記憶容量残量が所定の値に達した際に（ステップＳ１３；Ｙｅｓ）、その所定の値に達した側の画像メモリを識別するための識別情報がサブＣＰＵ２１４から画像出力Ｉ／Ｆ２１０を介してメインＣＰＵ１１に出力される（ステップＳ１４）。例えば、縮小画像メモリ２０８の記憶容量残量が、所定の値に達した場合、縮小画像メモリ２０８と識別することが可能な識別情報がメインＣＰＵ１１に出力されることになる。
【００５３】
また、ステップＳ１３では、記憶容量残量が変化しなくなった際、つまり、ＪＰＥＧ画像生成部２０５にてＪＰＥＧ画像データの生成が完了又は縮小画像生成部２０６にて縮小画像データの生成が完了したような場合には、記憶容量残量が所定の値に達していなくとも、画像出力Ｉ／Ｆ２１０に出力されるよう切替部２０９切り替える制御を行うこととする。
【００５４】
ステップＳ１４で識別情報が出力された後、所定値に達した側の画像メモリに記憶されたＪＰＥＧ画像データ、縮小画像データの何れかのデータ（以下、単にデータという）を出力するよう切替部２０９が制御され、該当するデータが画像出力Ｉ／Ｆ２１０に出力されて（ステップＳ１５）、メインＣＰＵ１１に出力される。例えば、縮小画像メモリ２０８の記憶容量残量が所定の値に達した場合、縮小画像メモリ２０８に記憶された縮小画像データが出力されるよう切替部２０９の切り替えタイミングが制御されて、縮小画像データの出力されることになる。
【００５５】
次いで、ＪＰＥＧ画像データ及び縮小画像データの出力が完了したか否かが判定されて、両画像データの出力が完了していないような場合には（ステップＳ１６；Ｎｏ）、再びステップＳ１３に戻る。なお、ステップＳ１５で出力されたデータは、ステップＳ１３で画像メモリ又は縮小画像メモリの一方の記憶容量残量が所定値に達したと判断されるまで、継続して出力されるものとする。
【００５６】
一方、ステップＳ１６で、両画像データの出力が完了したと判定された場合には（ステップＳ１６；Ｙｅｓ）、本処理は終了する。
【００５７】
図４は、上記した処理で出力されるＪＰＥＧ画像データ及び縮小画像データのタイムチャートを模式的に示した図である。ここで、上段左端から右端へ、続いて下段左端から右端へと時間経過を示している。
【００５８】
図４で示すように、縮小画像データ及びＪＰＥＧ画像データが出力される前に、それぞれのデータが記憶された画像メモリを識別する識別情報が送信され、縮小画像データとＪＰＥＧ画像データとが交互に出力される形態になっている。一般に、ＪＰＥＧ画像データと比較し縮小画像データのデータ容量は少ないため、縮小画像データの出力が先に終了し、それ以降はＪＰＥＧ画像データが出力されることになる。
【００５９】
次に、図５のフローチャートを参照して、図３の処理でカメラモジュールから出力されたＪＰＥＧ画像データ及び縮小画像データが記憶部１６に記憶されて、表示部１２に縮小画像データが表示されるまでの処理の流れを示す。なお、以下のフローチャートに記述されている各処理は、メインＣＰＵ１１により行われる。
【００６０】
まず、カメラモジュール２０から画像出力Ｉ／Ｆ２１０を介して出力される識別情報とデータとが入力されるまで待機し（ステップＳ２１；Ｎｏ）、識別情報とデータと入力されると（ステップＳ２１；Ｙｅｓ）、この入力された識別情報が、ＪＰＥＧ画像メモリ２０７を示すものか縮小画像メモリ２０８を示すものかが判別される（ステップＳ２２）。なお、識別情報は、データに先立ってカメラモジュール２０から出力されるものとする。
【００６１】
ステップＳ２２で、縮小画像メモリ２０８を示すものであった場合（ステップＳ２２；縮小）、この識別情報に続いて入力されたデータが縮小画像データであると判定されて、縮小画像データとして記憶部１６に記憶される（ステップＳ２３）。
【００６２】
次いで、一画像分の縮小画像データが記憶されたか否かが判定される（ステップＳ２４）。ここで、一画像分の縮小画像データとは、カメラモジュール２０の縮小画像生成部２０６で生成された一画像分の縮小画像データを意味しており、縮小画像メモリ２０８が一画像分の記憶容量を有していないような場合、縮小画像データは分割して入力されることになるため、このような判定が必要となる。
【００６３】
ステップＳ２４で一画像分の縮小画像データが記憶されていないと判定された場合（ステップＳ２４；Ｎｏ）、ステップＳ２１に再び戻る。一方、ステップＳ２４で一画像分の縮小画像データが記憶されたと判定されると（ステップＳ２４；Ｙｅｓ）、その縮小画像データを表示部１２に表示させ（ステップＳ２５）、ステップＳ２７に移行する
【００６４】
一方、ステップＳ２２でＪＰＥＧ画像メモリ２０７を示すものであった場合（ステップＳ２２；ＪＰＥＧ）、この識別情報に続いて入力されたデータがＪＰＥＧ画像データであると判定され、ＪＰＥＧ画像データとして記憶部１６に記憶されて（ステップＳ２６）、ステップＳ２７に移行する。
【００６５】
ステップＳ２７では、一画像分のＪＰＥＧ画像データの記憶が完了したか否かが判定される。ここで、一画像分のＪＰＥＧ画像データとは、カメラモジュール２０のＪＰＥＧ画像生成部２０５で生成される一画像分のＪＰＥＧ画像データを意味しており、ＪＰＥＧ画像メモリ２０７が一画像分の記憶容量を有していないような場合、ＪＰＥＧ画像データは分割して入力されることになるため、このような判定が必要となる。
【００６６】
ステップＳ２７で一画像分のＪＰＥＧ画像データが記憶されていないと判定された場合（ステップＳ２７；Ｎｏ）、ステップＳ２１に再び戻る。一方、ステップＳ２７で一画像分のＪＰＥＧ画像データが記憶されたと判定されると（ステップＳ２７；Ｙｅｓ）、本処理は終了する。
【００６７】
一般に、ＪＰＥＧ画像データと比較し縮小画像データのデータ容量は少ないため、一画像分の縮小画像データの記憶が先に終了し、その後、一画像分のＪＰＥＧ画像データの記憶が終了することになる。メインＣＰＵ１１は、一画面分の縮小画像データの記憶後、この縮小画像データを表示部１２に表示させる。
【００６８】
このように、識別情報に基づいて一画面分のＪＰＥＧ画像データ及び縮小画像データを効率よく記憶することができるため、縮小画像データが表示されるまでの間のタイムラグを改善することができる。
【００６９】
以上のように、ＪＰＥＧ画像メモリ２０７に記憶されたＪＰＥＧ画像データと、縮小画像メモリ２０８に記憶された縮小画像データと、をそれぞれの記憶容量残量が所定の値に達する度に、切替部２０９を制御して出力するようにしたことにより、ＪＰＥＧ画像データと縮小画像データとを効率よく出力することが可能であるため、縮小画像データが表示されるまでの間のタイムラグを改善することができる。したがって、撮影直後の早いタイミングで縮小画像データを表示することができる。また、ＪＰＥＧ画像データ及び縮小画像データを記憶する記憶手段の記憶容量を小さく構成することが可能であるため、コストの低減化を図ることができる。
【００７０】
なお、本実施の形態では、カメラモジュール２０の各部を統括的に制御するサブＣＰＵ２１４の制御により、切替部２０９を選択的に切り替えてＪＰＥＧ画像データと縮小画像データとを出力することとしたが、これに限らず、切替部２０９の切替制御及び図３で示したステップＳ１３〜Ｓ１６の処理を実行する切替制御手段を別途備えることとしてもよく、処理速度の観点からハードウェア的に処理を行う切替制御手段であることがより好ましい。
【００７１】
本実施の形態における記述は、本発明に係る撮像装置の一例を示すものであり、これに限定されるものではない。本実施の形態における携帯電話機１０の細部構成及び詳細動作に関しては、本発明の趣旨を逸脱しない範囲で適宜変更可能である。
【００７２】
例えば、本発明の撮像装置を備えた撮像システムとして、撮像装置付き携帯電話機１０を用いて説明したが、これに限らず、デジタルカメラや撮像装置を備えたＰＤＡ等であってもよい。
【図面の簡単な説明】
【００７３】
【図１】携帯電話機の構成を示すブロック図である。
【図２】カメラモジュールの構成を示すブロック図である。
【図３】カメラモジュールからＪＰＥＧ画像データ及び縮小画像データが出力される際の処理の流れを示すフローチャートである。
【図４】カメラモジュールから出力されるＪＰＥＧ画像データ及び縮小画像データのタイムチャートを模式的に示した図である。
【図５】携帯電話機に入力されたＪＰＥＧ画像データ及び縮小画像データの記憶並びに縮小画像データの表示の流れを示すフローチャートである。
【符号の説明】
【００７４】
１０  携帯電話機（撮像装置）
１１  メインＣＰＵ（第２の制御手段）
１２  表示部（表示手段）
１３  入力部
１４  ＲＡＭ
１５  通信制御部
１６  記憶部
１７  音声入出力部
１８  電源部
１９  バス
２０  カメラモジュール（カメラモジュール）
２０１  光学レンズ（撮影手段）
２０２  ＣＣＤ（撮影手段）
２０３  Ａ／Ｄ回路（撮影手段）
２０４  信号処理回路（撮影手段）
２０５  ＪＰＥＧ画像生成部（圧縮手段）
２０６  縮小画像生成部（縮小画像生成手段）
２０７  ＪＰＥＧ画像メモリ（圧縮画像データメモリ）
２０８  縮小画像メモリ（縮小画像データメモリ）
２０９  切替部（切替手段）
２１０  画像出力Ｉ／Ｆ
２１１  アクチュエータ
２１２  記憶部
２１３  電源回路
２１４  サブＣＰＵ（第１の制御手段）
２１５  シリアル通信Ｉ／Ｆ
【図１】
2005333349.tif 000003
【図２】
2005333349.tif 000004
【図３】
2005333349.tif 000005
【図４】
2005333349.tif 000006
【図５】
2005333349.tif 000007